(57)【特許請求の範囲】
【請求項１】
折り畳み時でも可視可能なディスプレイを有する情報処理装置において、
外部から電源が供給されたことを検出する手段と、
前記手段によって外部から電源の供給が検出されたときに、該ディスプレイの表示方向を変更させる表示制御手段と
を有することを特徴とする情報処理装置。
【請求項２】
前記手段によって外部から電源の供給が検出されたときに、折り畳み時でも可視可能なディスプレイの表示方向を、折り畳み時に可視不可能となるディスプレイの表示方向と同じ方向に変更させる表示制御手段を備えたことを特徴とする請求項１記載の情報処理装置。
【請求項３】
前記手段によって外部から電源の供給が検出されたときに、前記ディスプレイの表示方向を、該外部から電源の供給を行う外部端子が形成された側を下とする表示方向に変更させる表示制御手段を備えたことを特徴とする請求項１記載の情報処理装置。
【発明の詳細な説明】
【０００１】
【発明の属する技術分野】
本発明は、折り畳み式の情報処理装置に関し、例えば折り畳み式の携帯電話機に関するものである。
【０００２】
【従来の技術】
従来、折り畳み式携帯電話機では、開いた状態で上側の内面に液晶の内面表示面を配置して電話番号や電子メールなどを表示し、下側の内面にキーボードを配置して電話番号などを入力するようにすると共に、折りたたんだ状態で上側の外面に液晶の背面表示面（外面表示面）を配置して時刻などを表示していた。
【０００３】
【発明が解決しようとする課題】
最近、折り畳み式の携帯電話機は時計代わりに使用されており、いつ何時足りとも背面表示面に時刻などの情報を表示しておきたい要求があり、充電時にもその表示を継続して行わせておきたい要望がある。
【０００４】
従来では、メニュー操作などによりユーザ操作にて表示方向を反転させる技術がああったが、卓上にて充電する場合、開き易い方向（手前に折り畳んだ状態）で使用することから、背面表示面に表示される文字が最適な表示方向にならず、毎回手動にて表示される文字の方向を切り替えなければならないという問題があった。
【０００５】
また、特開２００１−１８６２２６号公報、特開２００１ー１８６２２７号公報には、折り畳み式携帯電話機を開いた状態で上側の内面に液晶の内面表示面を配置して電話番号や電子メールなどを表示し、折りたたんだ状態で上側の外面に液晶のサブの背面表示面を配置して時刻などの表示を上下反転させて表示させていたが、充電時については記載も、示唆も記載されていない。
【０００６】
本発明は、これらの問題を解決するため、充電時でも情報処理装置に表示される情報の表示方向が最適となるようにすることを目的とする。
【０００７】
【課題を解決するための手段】
図１および図２を参照して課題を解決するための手段を説明する。
【０００８】
図１および図２において、ディスプレイドライバ２４は、サブディスプレイ２５に表示する時刻などの情報を表示、あるいは上下、左右、９０度、反転表示させたりなどするものである。
【０００９】
サブディスプレイ２５は、折り畳み式携帯電話機の外側のサブディスプレイ（第２のディスプレイ）であって、時刻などを表示するものである。
【００１０】
電源検出回路３１は、折り畳み式携帯電話機に外部から電源が供給されたことを検出する回路である。
【００１１】
次に、動作を説明する。
折り畳み式携帯電話機の電源検出回路３１が外部から電源が供給されたことを検出すると、ディスプレイドライバ２４がサブディスプレイ２５に表示する時刻などの情報を変更、つまり上下、左右あるいは９０度、反転させて表示させるようにしている。
【００１２】
【発明の実施の形態】
次に、図１から図３を用いて本発明の実施の形態および動作を順次詳細に説明する。
【００１３】
図１は、本発明の折り畳み式携帯電話機の構成図を示す。
図１において、アンテナ１１は、折り畳み式携帯電話機が図示外の基地局との間で電波により通信するためのアンテナであって、電波を効率的に放射あるいは受信するためのものである。
【００１４】
無線送受信部１２は、アンテナ１１から電波を放射したり、受信したりし、図示外の基地局との間で送受信するものである。
【００１５】
ベースバンド処理部１３は、ベースバンドで音声あるいはデータの送受信制御を行うものである。
【００１６】
ＩＦ（中間増幅回路）１４は、スピーカ１５を駆動して電話などの内容を音声で出力したり、マイク１６から取り込んだ音声信号を増幅したりなどするものである。
【００１７】
スピーカ１５は、音声を発声させるものである。
マイク１６は、発声された音声を電気信号に変換するものである。
【００１８】
制御部２１は、表示を制御したり、キーボード２６からの入力を受け付けたりなどするものである。
【００１９】
ディスプレイドライバ２２は、折り畳み式携帯電話機の折り畳み時に可視不可能となり、折り畳み式携帯電話機を広げたときの上側の内面に設けたメインディスプレイ（第１のディスプレイ）２３に文字などを表示するものである。
【００２０】
ディスプレイドライバ２４は、折り畳み式携帯電話機を折り畳んだときでも可視可能な上側の外面に設けたサブディスプレイ（第２のディスプレイ）２５に時刻などを表示したり、外部から電源供給されたときに通知される正反転信号を受信したときは上下あるいは左右あるいは９０度、反転した時刻などを表示するものである。
【００２１】
キーボード２６は、折り畳み式携帯電話機の下側の内面に設けたキーボードであって、電話番号などをキー入力するものである。
【００２２】
メモリ２７は、データなどを記憶するものである。
電源検出回路３１は、外部から電源の供給を検出するものであって、ここでは、電圧または電流検出回路３２から構成されるものである。
【００２３】
電圧または電流検出回路３２は、外部から電源が供給されたときに、当該電圧または電流を検出して外部電源が供給された旨を検出するものである。外部からの電源供給が検出されると、図示の外部電源正反転信号を制御部２１を介してディスプレイドライバ２４に通知し、サブディスプレイ２５に表示される時刻などの情報を上下あるいは左右あるいは９０度、反転させて表示させる（図３を用いて後述する）。
【００２４】
次に、図２を用いて本発明に係わる折り畳み式携帯電話機の概観およびサブディスプレイ２５に、外部から電源供給が検出されたときに時刻などの情報を上下あるいは左右あるいは９０度、反転表示し、時刻などを見やすく表示するときの概要を説明する。
【００２５】
図２は、本発明の説明図を示す。
図２の（ａ）は、本願発明に係わる折り畳み式携帯電話機を折り畳んだ状態のときの概観およびサブディスプレイ２５への時刻などの情報の表示説明図を示す。
【００２６】
図２の（ａ−１）は、底面図を示す。ここでは、折り畳み式携帯電話機の下側の底の部分に、外部端子４１を設け、当該外部端子４１から電源を折り畳み式携帯電話機に供給し、バッテリを充電あるいは外部電電で当該折り畳み式携帯電話機を動作できるようにしている。
【００２７】
図２の（ａ−２）は、上側の外面表示面を示す。ここでは、折り畳み式携帯電話機を開き易いように、アンテナ１１が上側、ヒンジ４３が下側に位置するようにしたときの、上側の外面表示面を示す。この折り畳んだ状態でかつ、バッテリ駆動の状態では、図示の上側に示すように、正立の時刻などの情報を表示する。
【００２８】
図２の（ａ−３）は、右側の側面図を示す。ここでは、折り畳み式携帯電話機を開き易いように、アンテナ１１が上側、ヒンジ４３が下側に位置するようにしたときの、右側の側面図を示す。この状態で、下側の内面に配置したキーボード２６の部分を下向きに開くことで、折り畳み式携帯電話機を開くことができる。
【００２９】
図２の（ｂ）は、本願発明に係わる折り畳み式携帯電話機を折り畳んだ状態で、充電用の卓上ホルダ５２に置いたときの概観およびサブディスプレイ２５への時刻などの情報の表示説明図を示す。
【００３０】
図２の（ｂ−１）は、卓上ホルダ５２に折り畳み式携帯電話機を開き易いように、ヒンジ５３を上側にし、当該卓上ホルダ５２に置く直前の状態を示す。この卓上ホルダ５２に置く直前の状態では、折り畳み式携帯電話機を開き易くするために、ヒンジ４３を上側に位置づけた関係で、図２の（ａ−２）のサブディスプレイ２５の表示方向が上下反転した位置となり、その結果、表示される時刻などの情報がここでは、上下反転して見難くなっている。尚、横に折り畳み式携帯電話機を置くときは９０度異なって表示されて見難くなる。
【００３１】
図２の（ｂ−２）は、図２の（ｂ−１）の状態で、折り畳み式携帯電話機を卓上ホルダ５２に置いて外部電源が供給され、サブディスプレイ２５に表示される時刻などの情報が上下反転して表示された状態を示す。つまり、サブディスプレイ２５に表示される時刻などの情報の表示方向は、メインディスプレイ２３の表示方向と同じ方向となる。言い換えれば、サブディスプレイ２５に表示される時刻などの情報の表示方向は、外部端子４１が形成された側を下とするような表示方向となる。尚、横に折り畳み式携帯電話機を置くときは９０度異なって表示されるのを見易くするために、９０度回転させて正立の時刻などの情報が表示されるようにする。また、卓上ホルダ５２から折り畳み式携帯電話機が持ち上げられたときは、図２の（ｂ−１）に示すように、サブディスプレイ２５には元の時刻などの情報を表示する。
【００３２】
図２の（ｂ−３）は、右側の側面図を示す。ここでは、卓上ホルダ５２に置かれた折り畳み式携帯電話機は、開き易いように、ヒンジ４３が上側に位置するようにして置かれ、底面の外部端子４１に、卓上ホルダ５２の外部電源端子が接触して電源を供給するようにしている。
【００３３】
以上のように、卓上ホルダ５２に折り畳み式携帯電話機を開き易いように、ヒンジ４３を上側にして置き、ＡＣアダプタ５１から電源を当該折り畳み式携帯電話機に供給してバッテリを充電などする際に、当該外部電源の供給が検出されたときに、時刻などの情報を、ここでは、上下反転表示してサブディスプレイ２５に図２の（ｂ−２）に示すように見やすく表示することが可能となる。
【００３４】
図３は、本発明の動作説明フローチャートを示す。
図３において、Ｓ１は、電源ＯＮする。これは、図１、図２の折り畳み式携帯電話機の電源をＯＮにする。
【００３５】
Ｓ２は、外部電源の検出（電圧または電流検出）か判別する。これは、図１の電源検出回路３１が外部電源の供給が検出されたか判別する。ＹＥＳの場合には、Ｓ５に進む。ＮＯの場合には、Ｓ３に進む。
【００３６】
Ｓ５は、Ｓ２のＹＥＳで、外部電源供給と判明したので、サブディスプレイ２５の表示方向を上下に反転表示し、Ｓ６に示すように表示する。これにより、サブディスプレイ２５の表示方向が、Ｓ６に示すように上下反転表示され、結果として、既述した図２の（ｂ−２）に示すように、卓上ホルダ５２にヒンジ４３を上部にして開き易く置いたときに、正立の時刻などの情報が表示されることとなる。
【００３７】
また、Ｓ３は、Ｓ２のＮＯで、電池電源供給と判明したので、サブディスプレイ２５の表示をそのまま正表示し、Ｓ４に示すように正表示する。これにより、サブディスプレイ２５の表示が、Ｓ４に示すように正表示され、既述した図２の（ａ−２）に示すように、電池電源供給の場合に正立の時刻などの情報が表示されることとなる。
【００３８】
尚、以上の実施例では、折り畳み式携帯電話機を卓上ホルダ５２に図２の（ｂ−２），（ｂ−３）に示すように、ヒンジ４３を上部に置いたけれども、他に、卓上ホルダ５２を横向きなどにして、折り畳み式携帯電話機を置いた場合には９０度反転して時刻などの情報を正表示したり、更に、左右反転して時刻などの情報を正表示したりするようにしてもよい。いずれにしても、卓上ホルダ５に折り畳み式携帯電話機を置いて電源供給が検出されたときに、ユーザが見易い方向、即ち、ユーザが見る方向で正立の時刻などの情報が見えるように、９０°、１８０°、２７０°のいずれかの反転表示すればよい。
【００３９】
（付記１）
折り畳み時でも可視可能なディスプレイを有する情報処理装置において、
外部から電源が供給されたことを検出する手段と、
前記手段によって外部から電源の供給が検出されたときに、該ディスプレイの表示方向を変更させる表示制御手段と
を有することを特徴とする情報処理装置。
【００４０】
（付記２）
折り畳み時に可視不可能となる第１のディスプレイと、折り畳み時でも可視可能な第２のディスプレイとを有し、該第１のディスプレイに表示される表示方向が、該第２のディスプレイに表示される表示方向と異なる折り畳み式情報処理装置において、
外部から電源が供給されたことを検出する手段と、
前記手段によって外部から電源の供給が検出されたときに、該第２のディスプレイの該第１のディスプレイの表示方向と同じ方向にする表示制御手段と
を有することを特徴とする折り畳み式情報処理装置。
【００４１】
（付記３）
外部端子と、折り畳み時でも可視可能なディスプレイを有する折り畳み式情報処理装置において、
折り畳み状態で前記外部端子から電源が供給されたときに、前記ディスプレイに表示される情報の表示方向は該外部端子が形成された側を下とするような表示方向とする表示制御手段を有することを特徴とする折り畳み式情報処理装置。
【００４２】
【発明の効果】
以上説明したように、本発明によれば、折り畳み式携帯電話機を折り畳んだ状態で充電器に装着したときに、サブディスプレイ２５に表示される情報の表示方向を自動反転表示しているため、外部電源供給時でも常に時刻などの情報を見やすく表示することが可能となる。
【図面の簡単な説明】
【図１】本発明の折り畳み式携帯電話機の構成図である。
【図２】本発明の説明図である。
【図３】本発明の動作説明フローチャートである。
【符号の説明】
１１：アンテナ
１２：無線送受信部
１３：ベースバンド処理部
２１：制御部
２２、２４：ディスプレイドライバ
２３：メインディスプレイ
２５：サブディスプレイ
２６：キーボード
３１：電源検出回路
３２：電圧または電流検出回路
４１：外部端子
４３：ヒンジ
５１：ＡＣアダプタ
５２：卓上ホルダ
【図１】
0004126087.tif 000002
【図２】
0004126087.tif 000003
【図３】
0004126087.tif 000004